(57)【要約】【課題】  本発明は放射線遮へい室など特別な施設の必要がなく、サーベイメータに添付された校正定数の継続的使用が可能か否かを、簡便かつ容易に確かめることができる確認校正器を提供することを課題とする。【解決手段】  天然の放射性物質である花崗岩、特に自然放射性のカリウム長石を含む花崗岩を板状に加工した板状花崗岩を底板とし、該底板の上に、前記板状花崗岩の中央位置に放射線検出器を挿入可能な穴を設けた穴明き花崗岩を積層して壺状の体積線源を構成し、該体積線源の中に検出器を挿入するようにした。【選択図】      図１
2005265765.tif 000002
【特許請求の範囲】
【請求項１】
自然放射性のカリウム長石を多く含む花崗岩を板状に加工した板状花崗岩を底板とし、該底板の上に、前記板状花崗岩の中央位置に放射線検出器を挿入可能な穴を設けた穴明き花崗岩を積層して壺状の体積線源を構成し、該体積線源の中に検出器を挿入することを特徴とするサーベイメータの確認校正器。
【請求項２】
自然放射性のトリウム鉱石を粒状化して作製したシートを検出器ガイドの外側に巻いて円筒状線源を構成し、該円筒状線源の中に検出器を挿入することを特徴とするサーベイメータの確認校正器。
【請求項３】
自然放射性のトリウム鉱石を粉末状にし、該粉末状トリウム鉱石を板状体及び穴明き板状体に成形して焼結し、焼結体を積層して壺状の体積線源を構成し、該体積線源の中に検出器を挿入することを特徴とするサーベイメータの確認校正器。
【請求項４】
トリウムを含む棒状線源（溶接棒）の２個以上を検出器ガイドの周りに円筒状に配置して円筒状線源を構成し、該円筒線源内に検出器を挿入することを特徴とするサーベイメータの確認校正器。
【請求項５】
放射能が等しい二個以上の１３７Ｃｓ密封小線源を検出器ガイドの周りに、検出器の軸心に対し対象的に配置して線源を構成し、該線源の中心位置に検出器を挿入することを特徴とするサーベイメータの確認校正器。
【請求項６】
低線量率レンジの校正を可能にすべく、線源と検出器間に取り付・取り外しが可能な鉛減衰板を挿入し、１個の線源で数レンジの校正を可能としたことを特徴とする電離箱サーベイメータの確認校正器。
【請求項７】
遮へい容器内にあって検出器に向って移動可能な２４１Ａｍ＋Ｂｅ中性子線源を中性子サーベイメータの検出器の左右に１個づつ対称的に配置し、前記中性子線源を遮へい容器から前記検出器に向って側方に突き出して校正するようにしたことを特徴とする中性子サーベイメータの確認校正器。
【発明の詳細な説明】
【技術分野】
【０００１】
本発明は、サーベイメータの確認校正器に関するものである。
さらに詳しく言えば、線源を用いて行うサーベイメータの簡易校正器に関するものである。特に、線源として天然の放射性物質及び１３７ＣＳ等の密封小線源を用い、線量率分布が均一で、校正誤差の少ない確認校正器に関するものである。
【０００２】
因みに本発明にいう「確認校正」とは、国家標準に繋がる校正の体系の中で、校正された実用測定器の性能が継続して維持され、校正定数が引き続き使用できるか否かを判定するための簡易校正である。そしてその測定器を用いることが、測定目的のために十分に正確であることを検証、確認するために行うものであって、新たに校正定数を規定するものではない。
【０００３】
現在、原子力施設内のエリアモニタ、ガスモニタ等は定期点検時にチェッキング線源を用いて動作確認を行い、その結果として測定器の性能と校正定数や換算係数が継続して使用できることを証明している。この校正方法をサーベイメータにも適用し、放射線測定器全般に拡大した確認校正方法として、新たにＪＩＳ  Ｚ  ４５１１の「付属書２実用測定器の確認校正」として規定される予定である。
【背景技術】
【０００４】
放射線は、「長さ」、「重さ」、「温度」、「明るさ」などのように人間の五感で推測することができない。放射線測定器によりその存在を確かめることができる。しかし万が一、指示値の異常が発生したとしてもその不具合を容易には発見することができない。
【０００５】
従来サーベイメータが放射線に対して確実に動作することを判断するために、サーベイメータに付加されたチェッキング線源を用いて放射線測定値が上昇することを確認する手法が一般的であった。
【０００６】
ところがこのようなチェッキング線源の紛失が多発することに配慮し、１９７５年代からサーベイメータにチェッキング線源が付加されなくなった。このため、放射線によるサーベイメータの動作確認を簡単に実施することができなくなった。
【０００７】
一方、１９９５年代には計量法認定事業者制度（ＪＣＳＳ）が確立され、国家標準とのトレーサビリティが明確になっている標準測定器等を用いた校正の体系が確立され、放射線測定についても体系的に精度が保証できることとなった。
【０００８】
放射線障害防止法の規制対象事業所において使用される外部放射線の測定のためのサーベイメータは、国家標準とのトレーサビリティが明確になっている標準測定器等を用いて、測定を実施する日の１年以内に校正されたものを使用する等の指導がなされている（平成１２年１０月２３日科学技術庁放射線安全課長通知）。
【０００９】
しかしながら現状では、初回の校正後、費用、校正に要する日数等の関係で、数年間校正されずに使用されているサーベイメータが少なくない。そこで、これらの測定器による測定の信頼性を確保すべく、実用校正の一環として前に述べた「確認校正」の考え方が立案された。
【００１０】
放射線防護のために使用されているサーベイメータは、日本工業規格（ＪＩＳ  Ｚ  ４３３３）の形式試験及び検査に合格した製品である。購入後の再校正は、国家標準に繋がるトレーサビリティ体系の中で使用者の求めにより、計量法に基づく認定事業所及び認定事業所で校正された基準測定器を所有する事業所で校正できるようになっている。
【００１１】
校正の頻度については、関連の法令・規則等に記載がなく、現状では校正費用・日数等の関係で長期間再校正されずに使用されているサーベイメータが少なくない。
【００１２】
このような状況の中で校正に係る日本工業規格が改正され、実用校正の一環として確認校正が追加された。この校正法は、一定の線量率に対するサーベイメータの初期指示値と現状の指示値との比から再校正の是非を判定する方法である。従来、法令規制外の１３７ＣＳの密封小線源３.７ＭＢｑを保持スタンドに取り付け、これを机の上に立て、線源とプローブ間の距離を変えて逆二乗法で校正していた。
【００１３】
この校正法は、室内からの散乱線の影響を受けるので、散乱線による線量を補正する必要があり、作業中に被ばくする問題もある。また、前記したように放射線測定器に小形の動作点検用小線源（チェッキング線源）が付加される場合もあったが、紛失の問題があり現在、このような線源は付加されていない。
【発明の開示】
【発明が解決しようとする課題】
【００１４】
認定事業所又は認定事業所で校正された基準測定器を所有する事業所で校正されたサーベイメータには、校正定数が付加されている。しかし、サーベイメータの性能が維持されなくなった場合、校正定数の見直しが必要となる。再度校正定数の付加が必要となる条件が明示されるとともに、校正定数の継続使用判定用の確認校正器の開発が、小規模事業所のサーベイメータ使用者から望まれている。
【００１５】
そこで、本発明は放射線遮へい室など特別な施設の必要がなく、サーベイメータに添付された校正定数の継続的使用が可能か否かを、簡便かつ容易に確かめることができる確認校正器を提供することを課題とする。
【課題を解決するための手段】
【００１６】
自然放射性のカリウム長石を多く含む花崗岩を板状に加工した板状花崗岩を底板とし、該底板の上に、前記板状花崗岩の中央位置に放射線検出器を挿入可能な穴を設けた穴明き花崗岩を積層して壺状の体積線源を構成し、該体積線源の中に検出器を挿入するようにした。
自然放射性のトリウム鉱石を粒状化して作製したシートを検出器ガイドの外側に巻いて円筒状線源を構成し、該円筒状線源の中に検出器を挿入するようにした。
自然放射性のトリウム鉱石を粉末状にし、該粉末状トリウム鉱石を板状体及び穴明き板状体に成形して焼結し、焼結体を積層して壺状の体積線源を構成し、該体積線源の中に検出器を挿入するようにした。
トリウムを含む棒状線源（溶接棒）の２個以上を検出器ガイドの周りに円筒状に配置して円筒状線源を構成し、該円筒線源内に検出器を挿入するようにした。
放射能が等しい二個以上の１３７Ｃｓ密封小線源を検出器ガイドの周りに、検出器の軸心に対し対称的に配置して線源を構成し、該線源の中心位置に検出器を挿入するようにした。
電離箱サーベイメータの確認校正器において、低線量率レンジの校正を可能にすべく、線源と検出器間に取り付・取り外しが可能な鉛減衰板を挿入し、１個の線源で数レンジの校正を可能にした。
中性子サーベイメータの確認校正器において、遮へい容器内にあって検出器に向って移動可能な２４１Ａｍ＋Ｂｅ中性子線源を中性子サーベイメータの検出器の左右に１個づつ対称的に配置し、前記中性子線源を遮へい容器から前記検出器に向って側方に突き出して校正するようにした。
【発明の効果】
【００１７】
従来、サーベイメータの所有者は、その校正を認定事業所等に依頼するか、あるいは小規模な放射線遮へい室において、密封小線源を使いサーベイメータの校正を行っていた。しかし前者の校正依頼では費用がかかり、後者の場合には散乱線量の評価が困難で、作業能率が悪く、このため被ばくの危険性があった。
【００１８】
本発明は、電離箱及び中性子サーベイメータを除き、天然の花崗岩等や複数個の１３７Ｃｓ小線源を用い、検出器全体が均等に照射されるように工夫したので、各測定レンジに対応する校正器に検出器を挿入して、設置位置の誤差に無関係に校正作業を迅速に実施できると共に、被ばく線量を低減することができるようになった。
また、放射線障害防止法の規制対象外の小線源を主に使用するので、線源使用許可や管理区域の設定は必要でなくなった。
【００１９】
また本発明の確認校正器によれば、確認校正時の指示値と初期指示値の変動幅の比から、再校正実施の判断と校正定数の継続使用に保証を与えることができるようになった。
【発明を実施するための最良の形態】
【００２０】
本発明の確認校正器は、これを要約すると、次の（１）〜（４）の点を特徴としている。
（１）サーベイメータに用いる校正用線源として、天然の放射性物質である花崗岩、特に自然放射性のカリウム長石を多く含む花崗岩、トリウム鉱石及び１３７ＣＳ、２４１Ａｍ＋Ｂｅ等の密封小線源を使用する。
（２）シンチレーションサーベイメータ、ＧＭサーベイメータの確認校正器においては、前記花崗岩を壷状に加工した体積線源（図１）、トリウム鉱石を粒状化して作ったシートを用いて製作した円筒状線源（図２）、及びトリウム棒状線源（溶接棒）２個以上を円筒状に配置して製作した円筒状線源の中心に検出器を挿入するようにした（図３）。また、点状の１３７ＣＳの密封小線源２個以上を検出器軸に対して、対称的に配置し（図４）、線量率の均一な校正場を作り、校正誤差の低減化と機器の小型化を図った。
（３）電離箱サーベイメータの確認校正器（図５）においては、小型化により遮へい体重量の低減化を図るため、検出器と密封小線源間距離を３０cm程度とし、１個の線源で数レンジ（測定範囲）の校正ができるようにすべく、線源と検出器間に脱着が容易な鉛減衰板（遮へい板）を挿入し、低線量率レンジの校正もできる構造とした。
（４）さらに中性子サーベイメータの確認校正器（図６）は、２４１Ａｍ＋Ｂｅ中性子線源が容易に突き出し可能な遮へい容器にいれ、これを中性子検出器の左右に２個対称的に配置して、線源を突き出して校正する構造とした。
【００２１】
（実施形態１）
図１は花崗岩を用いた確認校正器の断面図である。図１で１は自然放射性の花崗岩を板状に加工した板状花崗岩である。この板状花崗岩１を鉛遮へい箱８の底に置き、この上に板状花崗岩１の中央に放射線検出器３を挿入可能な穴４を設けた穴明き花崗岩２を積層（図では３層）して壺状の体積線源を構成している。
検出器３は検出器ガイド５に沿って壺状体積線源の中に上方から挿入されると、検出器全体が均等に放射線を照射される構成となっている。６は検出器ケーブル、７は検出器支持台である。
【００２２】
（実施形態２）
図２はトリウムシート円筒状線源を用いた確認構成器の断面図である。この実施形態においては、自然放射性のトリウム鉱石等を粒状化して作製シート９を構成し、これを検出器ガイド５の外側に巻いて円筒状線源を構成している。
かくして円筒状線源の中央部まで検出器３を挿入すると、検出器３に均等に放射線を照射することができる。
【００２３】
（実施形態３）
図示しないが、自然放射性のトリウム鉱石を粉末状にし、これを板状体及び中央に穴をあけた穴あき板状体に成形し、これを焼結して図１で説明した板状花崗岩及び穴あき花崗岩と同様の板状体及び穴あき板状体を作製し、これら板状体を積層して壺状の体積線源を構成することができる。
【００２４】
（実施形態４）
図３は棒状線源対称配置型の確認校正器を示す。これはトリウムを含む棒状線源（溶接棒）１０を２個以上検出器ガイド５の外側にこれと平行に対称的に配置して円筒状線源を構成したものである。
この線源においても、棒状線源よりなる円筒状線源の中央部まで検出器３を検出器ガイドに沿って挿入すると、検出器に対し全面均一に放射線を照射することができる。
【００２５】
（実施形態５）
図４は点状線源対称配置型の確認校正器を示す。これは、放射能が等しい２個以上の例えば１３７Ｃｓ密封小線源を検出器ガイド５の外側に軸心に対し対称的に配置して円筒状線源を構成したものである。
１３７Ｃｓ密封小線源は線源ホルダー１１に保持され、線源昇降台１２で検出器ガイド５に沿って上下に昇降可能である。
この構成であるから線源を検出器３に対し最適位置に保持することができるので、検出器３は均等に放射線の照射をうけることができる。
【００２６】
（実施形態６）
図５は電離箱サーベイメータの確認校正器の一例を示す断面図である。この校正器においては、電離箱サーベイメータ１３と線源１４の間に鉛減衰板（遮へい板）１５を取付・取り外し可能に設置している。そして、線源１４を線源移動棒１６の先端に取り付け、この移動棒１６を線源移動装置１７で水平方向に移動することによって線源１４と電離箱検出器１８との間隔を調整することができる。この場合、線源移動棒１６は目盛台１９上を移動し、目盛台１９に設けた目盛を、見ながら構成距離範囲約３０cm（図のＡ・Ｂ間の距離）内で調整できるようになっている。
【００２７】
（実施形態７）
図６は中性子サーベイメータの確認校正器の実施形態断面図である。図６で、台２５上に設置した中性子サーベイメータ２０の両側に対称的に遮へい容器２１が設けられ、この中に中性子線源２２を先端に装着した線源移動棒２３が水平方向に移動可能に設けられている。２４は台２５上に設けた高さ調整器でこれにより遮へい容器を上下動でき、中性子線源２２と中性子サーベイメータ２０に対しその位置を調整できる。この構成であるから、中性子線源２２を遮へい容器２１から側方に突き出して校正することができる。
【図面の簡単な説明】
【００２８】
【図１】花崗岩を用いた確認校正器の実施形態断面図である。
【図２】トリウムシート円筒状線源を用いた確認校正器の断面図である。
【図３】棒状線源対称配置確認校正器の断面図である。
【図４】点状線源対称配置確認校正器の断面図である。
【図５】電離箱式サーベイメータ確認校正器の断面図である。
【図６】中性子サーベイメータ確認校正器の概念図である。
【符号の説明】
【００２９】
１  板状花崗岩                  ２  穴あき花崗岩
３  放射線検出器                ４  穴
５  検出器ガイド                ６  検出器ケーブル
７  検出器支持台                ８  鉛遮へい箱
９  トリウム鉱石を粒状化して作製したシート
10  トリウムを含む棒状線源（溶接棒）
11  線源ホルダ                  12  線源昇降台
13  電離箱サーベイメータ        14  線源
15  鉛減衰板                    16  線源移動棒
17  線源移動装置                18  電離箱検出器
19  目盛台                      20  中性子サーベイメータ
21  遮へい容器                  22  中性子線源
23  線源移動棒                  24  高さ調整器
25  台
【図１】
2005265765.tif 000003
【図２】
2005265765.tif 000004
【図３】
2005265765.tif 000005
【図４】
2005265765.tif 000006
【図５】
2005265765.tif 000007
【図６】
2005265765.tif 000008